(57)【要約】【課題】簡単な手順で正確にＦＧノットを作ることができる釣り糸の結線補助具を提供する。【解決手段】補助具本体１０の上下に平面視くの字の形をしたアーム１１と１２を設け、アーム支持部とリーダー係止部をメインラインとリーダーを編み付ける位置Ｘａに近接させて設け、各アームの先端にメインラインの係止部１５と１６を設け、メインラインの張架は引張コイルバネ１７を各アームの引張コイルバネ固定ネジ１１ｅと１２ｅで固定することによって張架する仕組みを成立させ、リーダーはリーダー係止部１３に係止してリーダーをメインラインに編み付けられるように構成した。【選択図】図５
2011078406.tif 000002
【特許請求の範囲】
【請求項１】
比較的太い釣り糸であるリーダーの表面周りに、比較的細い釣り糸であるメインライン
を編み付けて結線する際に用いる補助具であって、
結線補助具本体にメインラインを縦方向に張架するための一対のアームを上下に設け、
上下の各アームには非弾性の平面視くの字の形をした剛性板を用い、
各アームを可動可能な状態で支持するアーム支持部をリーダーとメインラインを編み付
ける位置に近接する形で結線補助具本体に設け、
張架するメインラインの先端側（支線側）と本線側の巻止部を含むメインライン係止部
を各アームの先端に設け、
各アーム中間部くの字形の折れ曲がり部分付近または各アーム支持部付近にはメインラ
インを張架するための引張コイルバネや引張ゴムまたはねじりコイルバネを各アームが引き合う形に設け、
結線補助具本体には張架したメインラインと直交させた状態でリーダーの本線側を係止
するための巻止部を含むリーダー係止部設け、
上下の各アーム先端のメインライン係止部との間で緊張状態に保持され張架されている
メインラインとリーダー係止部に固定されたリーダーの編み付け作業を両手だけで行える
ことを特徴とする釣り糸の結線補助具。
【請求項２】
上下の各アーム中間部分にメインラインの張架強度を補強するための引張ゴムを取り付
けたり、アームの動作や固定を指や掌で調整しやすくするための突起部を設けたことを特徴とする
請求項１に記載の釣り糸の結線補助具。
【請求項３】
結線補助具本体にリーダー本線を係止するための巻止部を含むリーダー係止部をリーダ
ーとメインラインを編み付ける位置に近接させる形で設けたことを特徴とする
請求項１又は２に記載の釣り糸の結線補助具。
【請求項４】
上下の各アーム支持部をリーダー係止部よりも対となるアームのメインライン係止部側
へ寄せて設け、各アーム支持部とアームのメインライン係止部までの長さ、つまりアーム
回転弧の半径を大きくすることにより、リーダー係止部とメインライン係止部の間の距離
をアームの回転角度によって変動させることができ、上下メインライン係止部に含まれる
弾性体で構成されるメインライン巻止部表面２箇所とリーダー係止部に含まれる弾性体で
構成されるリーダー巻止部表面１箇所を使用してリーダーが巻かれているリーダースプー
ル外周２箇所とリーダースプールの中穴の一箇所を接点に３点支持固定できることを特徴
とした
請求項１〜３に記載の釣り糸の結線補助具。
【発明の詳細な説明】
【技術分野】
【０００１】
本発明は、釣り糸のメインラインとリーダーを結線するために用いる結線補助具に関する。
特に、ＦＧノットやＳＦノットを簡単に作ることができる結線補助具に関する。
【背景技術】
【０００２】
リールに巻く釣り糸（メインライン）としては、遠投ができることや水の抵抗や風の影
響を受ける事が少ない事から細めの糸が使用される。そして、このメインラインの先端に
太めの釣り糸（リーダー）をつないで、先端部のリーダーが岩や海藻に擦れて切れる事を
防いでいる。
【０００３】
メインラインとしては、軽く、しなやかで細く、引張強度を有する事が望ましいため、
近年では従来のナイロンラインの３倍以上の引張強度を有するポリエチレンライン（ＰＥ
ライン）が使用される割合が高まっているが、ＰＥラインには以下のような短所もある。
（１）表面がつるつるで滑り易い。
（２）糸が細すぎるため、結線時に素手で引っ張ると手を切りやすい。
（３）糸を折り曲げると強度が低下し切れやすい。
【０００４】
リーダーとしては、摩耗に対する耐久性に優れたフロロカーボンラインやＰＥラインと
の結束がしやすいナイロン系ラインを使用することが通常に行われているが、以下のよう
な問題点がある。
（１）ＰＥラインへの引張強度に対応するため、リーダーとしてＰＥラインの３〜４倍程
度の直径のラインを使用する事が多い。このように両者の直径が極端に異なる場合、従来
の結線方法では適さない。
（２）リーダーとＰＥラインを結線する場合、ＰＥライン表面の滑り易さからライン同士
の表面摩擦が少なく、従来の結線方法ではリーダーが糸抜けしやすくなる。
【０００５】
このような理由から、糸抜けの発生しない特殊な方法で結線する必要がある。そこで、
このような特殊な結線方法としてＦＧノット（非特許文献１参照）、ＳＦノット、ミッド
ノット、ＰＲノット等が提案された。
これらの結線方法の中でもＦＧノットは結線強度が高いとともに編み付け時の編みコブ
が小さく、優れた方法として広くルアー（疑似餌）釣りの愛好者に知られている。
【０００６】
ところが、ＦＧノットを道具を使わずに結線するには、両手を駆使して行う作業で熟練
を要し、特に利き手の二本の指にＰＥラインを巻きつけて編み付ける方法は、編み付けの
強度が一定せず糸抜けの原因となり、初心者にとっては難しく不完全な結線となることが
多かった。また、締め付け時は強い力で編み付け部分を締め込む必要があり、素手では指
や手に怪我をする恐れがあり危険なため、手袋やプロテクタ、締め付け専用の道具が必要
になる。
【０００７】
そこで、このような編み付けを補助するための結線補助具（補助装置）が提案されてお
り、一般に広く知られたものもいくつか存在する。
例えば、メインラインをリーダーに巻き付けるという手作業を、巻き付け装置本体から
左右に延ばした２本のアーム先端を使用して、メインラインが張架され緊張状態を保持す
るよう係止するとともに、装置本体中央にはリーダーを着脱自在に係止するリーダー係止
部を設け、リーダーをリーダー係止部から着脱しながら前記２本のアームに張架されたメ
インラインに編み付けて行くように構成したものがある。（特許文献１参照）
【０００８】
この補助装置は、補助装置本体を固定するものが必要であったり、ボディフックを身体
に装着する必要があったり事前の準備が大掛かりになり、屋外である釣り場や、場合によ
ってはウェーディングと呼ばれる浅瀬の海中に立って行われる釣りの最中に使用するのは
困難である。
【０００９】
上記の問題を改善したＦＧノットの結線補助具も一般製品として市場提供されている。
（非特許文献２参照）
この補助具は主要な構造体部分に弾性体（スプリングアーム）を用いているため、メイ
ンラインの張架の強さの調整範囲が限定される。
結果的に釣り糸（リーダー、メインライン）の太さに合わせてスプリングアームの強度が
それぞれ異なる複数の製品を提供する事で解決している。
【００１０】
また、この補助具は最初の編み付け時に結びコブがリーダー本線側にある事を確認しな
がら、数回分の編みコブを指で押さえながら編み付けしないと編みコブがリーダー支線側
に戻って適正な編み付けができなくなる場合がある。
また、細いサイズのリーダーに対応させた場合、スプリングアームの張架が弱く最後の
ハーフヒッチという仕上げ作業の支持が安定しないため、補助具を用いずに素手だけの方
がやり易い。
また、構造的に長い弾力体のバネを使う事を特徴としているため、携帯性に問題があり
太いリーダー用を折りたたむ場合は、別の折りたたみ用の部品が必要になり携帯性に問題
が残る。弾性体のバネの力が弱い細いサイズのリーダーに対応した製品の場合は２つに折
り畳めるが、携帯面で制限のあるウェーディングの場合はポケットの収納スペースの制約
から大きい補助具の携帯は敬遠される。
【００１１】
最近ではウェーディングでの釣りにおける携帯性を意識して、小型のスプールを用いた
リーダースプールがいくつか市場に提供されるようになった。
（非特許文献３、非特許文献４参照）
ただしリーダースプールの大きさと形状に関しては統一規格が存在せず、各メーカーが
それぞれ微妙に大きさと形状が異なる製品を提供している状況にある。
この動きに対し、これまで提案されている補助具は全て単独で携行する形態となってお
り、補助具を用いて結線するリーダーと一緒に携帯することを前提に作られた製品は現時
点では存在せず、それぞれ別々に携行する必要性があり不便であった。
【先行技術文献】
【特許文献】
【００１２】
【特許文献１】特開２００７−２４４２３９号公報
【非特許文献】
【００１３】
【非特許文献１】”Seaguar Web”、［online］、［平成２２年６月１９日検索］、株式会社クレハ、インターネット＜URL:http://www.seaguar.ne.jp/knot/page.jsp?mode=cover/lines/page/13＞
【非特許文献２】”FGノットの結び方を簡単にするEZノッター●Gear-Lab”、［online］、［平成２２年６月１９日検索］、ギアラボ、インターネット＜URL:http://ezknotter.gear-lab.com/＞
【非特許文献３】”Seaguar Web”、”シーガー・ショックリーダープレミアムマックス”、［online］、［平成２２年６月１９日検索］、株式会社クレハ、インターネット＜URL:http://www.seaguar.ne.jp/lineup/page.jsp?mode=page/40＞
【非特許文献４】”SUNLINE catalog”、”ポケットショックリーダーＦＣ”、［online］、［平成２２年６月１９日検索］、株式会社サンライン、インターネット＜URL:http://www.sunline.co.jp/catalog/salt/pocketshock_fc.html＞
【発明の概要】
【発明が解決しようとする課題】
【００１４】
本発明が解決しようとする課題は、補助具を使用するにあたって固定したり身体に装着
することなく両手だけで利用できるようにした上で、最初の数回の編みコブがリーダー支
線側へ作られてしまう事を極力抑える仕組みを用い、また、容易に修正できる仕組みを用
いて、正確にＦＧノットを作ることができる釣り糸の結線補助具を提供することにある。
【００１５】
さらに、釣り糸（リーダー、メインライン）の太さに合わせてスプリングアームの強さ
が異なる複数の補助具を準備する煩わしさを軽減することを課題とする。
【００１６】
また、ウェーディングと呼ばれる海中に立っての釣りの場合、リーダースプールや釣り
糸の結線補助具を携行するにあたってライフジャケットのポケットなどへ収容する必要が
あるが、それぞれが別単位の物品であるため個別に収容する必要性に迫られる。また大き
さの面からも携帯面での煩わしさが存在した。
この煩わしさ、携帯性の問題も本発明で解決せんとする課題である。
【課題を解決するための手段】
【００１７】
本発明の釣り糸の結線補助具は、比較的太い釣り糸であるリーダーの表面周りに、比較
的細い釣り糸であるメインラインを編み付けて結線する際に用いる補助具であって、補助
具本体にメインラインを縦方向に張架するための一対のアームを上下に設け、各アームは
非弾性の平面視くの字の形をした剛性板で構成され、張架したメインラインの先端側（支
線側）と本線側の巻止部を含む係止部をアーム先端に設け、各アームの中間部くの字形の
折れ曲がり部分付近または各アーム支持部付近にはメインラインを張架するためのコイル
バネや引張ゴムまたはねじりコイルバネを各アームが引き合うように設け、メインライン
係止部の反対側にはアームの支持部を設け、そのアーム支持部をリーダーの本線と張架し
たメインラインが直交する編み付け位置に近接させるように補助具本体に取り付ける。
また、リーダーの本線を張架したメインラインと直交できる形で巻き止め係止するため
の巻止部を含むリーダー係止部を補助具本体に配置し、リーダーの編み付け作業を両手だ
けで行えるようになっている。
また、くの字の形のアームによる特徴ある回転弧によりリーダーとメインラインが直交
する位置（交差位置）を編み付けの進みに合わせてリーダー支線側に移動し、編み付け位
置が同じ位置で重ならないようにアームが正しい編み付け方向に動作（前進性）し、交差
位置を誘導するようになっている。
くの字の形のアームを用いず、まっすぐなアームを用いた場合でもいくらかの前進性は
得られるが、くの字の形のアームを用いる事で更に前進性が高まる効果を生み出せるよう
になっている。
【００１８】
本発明の請求項２においては、上下の各アーム中間部分にメインラインの張架強度を調
整、補強するための引張ゴム（輪ゴム等）を取り付けられる突起部を設けているので、釣
り糸（メインラインとリーダー）の太さに合わせて引張ゴムを取り付け、張架強度が調整
できるようになっている。
また、この突起部に指や掌を掛けてメインラインの張架具合を意図的に強めたり弱めた
り張架の緊張度の強弱の調整もしやすくなっており、ハーフヒッチという仕上げ作業や編
みコブ位置の修正の際にはアームを意図的に固定させてラインの緊張状態を強くさせるこ
とで作業をしやすくすることができる。
【００１９】
本発明の請求項３においては、リーダーとメインラインの編み付け位置に近接する形で
リーダー係止部を設けているので、リーダーを上下の各アーム側に交互にわずかに動かす
だけでリーダーとメインラインの交差する角度を大きく変動させる事ができる。結果的に
双方のライン（メインライン、リーダー）同士が広範囲に擦れることなく編みコブの位置
を修正できるようになっている。
【００２０】
本発明の請求項４においては、さらに上下各アーム支持部を補助具本体の中心を超えて
対となるアームのメインライン係止部側へ寄せて設けることで、補助具全体の輪郭の大き
さを変えずにアームの回転弧の半径を大きくすることが可能になる。
同時にアームの回転角度によってリーダー係止部とメインライン係止部との間の距離を
変動させることもできる。
それぞれの係止部の間の距離が最小になるのは補助具の初期状態であり、最大になるの
は上下のメインライン係止部同士が接した状態である。この最大状態の段階でリーダース
プール中心の穴にリーダー係止部を通してから、上下のメインライン係止部を徐々に係止
部同士が接した状態から補助具の初期状態に戻していくことにより、リーダー係止部とメ
インライン係止部との間の距離が縮小していく、この縮小過程でリーダースプールの外周
側に上下のメインライン係止部の巻止部表面が接触し同時にリーダースプール中心の穴の
内周側にリーダー係止部の巻止部表面が接触し３点の接触面の摩擦状態が成立することに
よってリーダースプールを補助具に固定することができるようになっている。
【発明の効果】
【００２１】
本発明の請求項１〜２によって生じる効果としては、上下のアーム中間部又は支持部に
設けられている引張コイルバネや引張ゴムまたはねじりコイルバネ、さらに張架強度を補
強する突起部分への引張ゴムによってメインラインが張架されているので、メインライン
をリーダーの表面に緩むことなく適正な張力をかけた状態で押し付けることができる。
そして、ＦＧノット又はＳＦノットで編み付けをすることに伴い、編み込まれたメイン
ラインの長さの分だけメインラインの上下の係止部の間隔が狭まると同時にアーム支持部
を中心点に上部のアームは時計回りに、下部のアームは反時計回りに動く、
その結果、くの字の形のアーム特有の回転弧の動きに合わせてメインラインとリーダーの
交差する位置（交差位置）が大きくリーダー係止部から離れる方向、つまりリーダー支線
側に移動するため、編み付けによって作られる編みコブがリーダー支線側に引っ張られる
ように巻き進められ適正な編み付けが可能となる。
したがって従来のように編みコブの位置を修正したりするための作業の発生頻度が低く
なり、編み付け部分の確認に気を使う必要性が軽減される。
【００２２】
本発明の請求項３によって生じる効果としては、リーダー係止部とメインラインとリー
ダーの交差位置を近接させた構造としているため編みコブの位置が交差位置よりリーダー
支線側に作られてしまった場合でも、リーダーを引く手を上下のメインライン係止部側に
交互に動かす事で編みコブをリーダー係止部の側、つまりリーダー本線側に移動させる事
ができる。
この際、アームは固定されメインラインが緊張状態である方がやり易いが、本発明での
アームが剛性板の利用を前提としている事と請求項２の突起部を指や掌で押さえてアーム
を固定させる方法で緊張状態が実現できる。
本発明ではメインラインとリーダーの交差位置とリーダー係止部を近接させる事で小さ
な移動量で大きな交差角度の変化を生み出せることから、摩擦によるメインラインの傷み
を必要最小限に抑える事ができる。
【００２３】
本発明の請求項４によって生じる効果としては、上下のアームの支持部を補助具本体の
中心を超えて設けることによってアーム回転弧の半径を大きくできる事が挙げられるが、
上下アームの双方が補助具本体の中心を超えて別々にそれぞれの支持部を持つことによっ
て、リーダー係止部と上下アームのメインライン係止部との間の距離をアームの回転角に
応じて変動させる事ができる。
それによって得られる効果としては、請求項１の範囲であればリーダー係止部とメイン
ライン係止部との間の距離は殆ど変動しないため、補助具に固定できるリーダースプール
の大きさが限定されるが、請求項４の構造によって補助具に固定できるリーダースプール
の大きさの対応範囲が広くなり、大きさが異なるリーダースプールの固定に対応できる。
また、リーダースプールを補助具に固定できる結果、一体化して携行する事が可能となり
携帯性が向上する。結果的に屋外である釣り場や船上、場合によってはウェーディングと
呼ばれる浅瀬の海中に立って行われる釣りや、自転車で釣り場を渡り歩く場合でも携行が
容易で且つ、簡単に使用することができる。
【図面の簡単な説明】
【００２４】
【図１】本発明請求項１〜３の実施の形態に係る釣り糸の結線補助具を示す図であり、図１（Ａ）は平面図、図１（Ｂ）は裏側を示す底面図である。
【図２】図１の結線補助具を示す図であり、図２（Ａ）は背面図、図２（Ｂ）は正面図、図２（Ｃ）は補助具本体の拡大図である。
【図３】図１の結線補助具の構造を示す図であり、図３（Ａ）は断面図、図３（Ｂ）は補助具本体内部でのアームの動作を示す断面図である。
【図４】主要構造部品のアームの部品構成図である。
【図５】本発明の結線補助具を用いた結線作業を示す説明図である。
【図６】本発明の結線補助具を用いた結線作業を示す説明図である。
【図７】本発明の結線補助具を用いた結線作業を示す説明図である。
【図８】本発明の結線補助具を用いた結線作業を示す説明図である。
【図９】本発明の結線補助具を用いた結線作業を示す説明図である。
【図１０】本発明請求項４の実施の形態に係る釣り糸の結線補助具を示す図であり、図１０（Ａ）は平面図、図１０（Ｂ）はアームの動作を示す平面図である。
【図１１】図１０の結線補助具を示す図であり、図１１（Ａ）は平面図、図１１（Ｂ）は断面図である。
【図１２】図１０の結線補助具を用いてリーダースプールを装着した場合の説明図である。
【発明を実施するための形態】
【実施例１】
【００２５】
以下より、本発明の実施の形態について図面を参照して詳細に説明する。
図１は、本発明の請求項１〜３の実施の形態に係る釣り糸の結線補助具を示す図である。
図２は、図１の結線補助具の主要な構造部分を示す図であり、図２（Ａ）は背面図、図２（Ｂ）は正面図、
図２（Ｃ）は補助具本体の拡大図である。
図３は、図１の結線補助具の主要な構造部分の断面図であり、図３（Ａ）はアーム静止時の背面図、
図３（Ｂ）はアームが動作した場合の状態を示す図である。
図４は、アームを構成する部品を示す図である。
【００２６】
この結線補助具１は、非弾性の平面視くの字の形をした剛性板のアーム１１と１２を上下に有し、
図４に示すアームの１１ｇと１２ｇはアームを支持する際に用いる補助具本体１０の本体スペーサー１の１０ｆを通すための
支持孔である。
アーム１１と１２はそれぞれアームの１１ａと１１ｂ、１２ａと１２ｂで構成され、アーム１１では１１ｂの上に１１ａを
載せる形で１１ｆのスポット溶接ポイントで溶着して一体化、アーム１１の部材として使用され、アーム１２では１２ａの上に
１２ｂを載せる形で１２ｆのスポット溶接ポイントで溶着して一体化、アーム１２の部材として使用され、１１と１２それぞれの
部材として補助具本体に取付られる
【００２７】
次に、補助具本体１０の１０ｆを１１ｇと１２ｇのアーム支持孔に通す。その際、上下アームが動作する事により摩擦が発生し、
円滑にアームが動作しない場合を想定して１１ｇと１２ｇの間には１０ｄの本体ワッシャー２を入れる。
更に１１の上側には本体ワッシャー１の１０ｃを入れ、１２の下側には本体ワッシャー３の１０ｅを入れ、次に１０ｆを通した
これらの部材（１１、１２、１０ｃ、１０ｄ、１０ｅ）を本体上面板１０ａと本体底面板１０ｂで挟むようにして、
後述するリーダー係止部の１３ａと１３ｆによりネジ止めされる。
この際、１０ｆが存在するため１３ａと１３ｆの強い締め付けがあってもアーム支持部分の空間は確保され、各アームの動作を
阻害しない構造が成立する。
【００２８】
アーム１１、１２を補助具本体で支持後、引張コイルバネ１７を上下アームの１１ｅ、１２ｅにそれぞれ固定することで、
メインラインの張架を生み出す構造が成立する。
引張コイルバネの張力によってアーム１１と１２が重ならないように１１ｉの側面部分には１２ｊの側面が、
１１ｊの側面部分には１２ｉの側面が接しアームの静止状態が維持される。
また、図３(Ｂ）に示すように、アーム１１と１２の先端部分、つまり後述するメインライン係止部の間が狭まった場合、
アームの動作は平面視くの字の形による特徴ある動きとなり、上下のメインライン係止部を結ぶ線１８は補助具本体から
離れる方向方向に動く仕組みが成立する。
また、アームが動作しても１７の引張力によりメインラインを張架する状態は維持される。
【００２９】
補助具本体の背面側の１０ａと１０ｂの固定は、本体背面側組みネジ上部の１４ａと組みネジ下部の１４ｃを用いて
行われるが、アームの可動部分の空間を確保するために、１０ａと１０ｂの間には１４ａと１４ｃを通すことができる
本体スペーサー２の１４ｂを使用する。
また、この１４ｂは図３（Ｂ）に示すように、引張ゴム（輪ゴム等）の１９を突起部（１１ｃ、１１ｄ、１２ｃ、１２ｄ）
を用いて張架する際に、アーム可動部分に１９が絡んでアームの動作を阻害しないようにすることを防ぐ役割も果たしている。
【００３０】
リーダー係止部１３は、最初にリーダーを仮止めする際に用いるＯリング１３ｅ、リーダーを滑らないように巻き止める
摩擦性のある弾性体（シリコンゴム等）で構成される巻止部１３ｄ、リーダーを係止するためのＯリング１３ｂと１３ｃ、
そしてこれら（１３ｂ、１３ｃ、１３ｄ、１３ｅ）を補助具本体１０に固定するための１３ａ、１３ｆで構成される。
本発明の請求項１と３に共通する要素として、アーム支持部とリーダー係止部をリーダーとメインラインを
編み付ける位置に近接させて設ける事を特徴としているため、双方の特徴と効果を阻害しない工夫が必要となるが、
図２の例では、アーム支持部とリーダー係止部を一体化させる事で最良の形態を成立させている。
【００３１】
メインライン係止部１６は、最初にメインラインの先端側を仮止めするＯリング１６ｅ、メインラインを滑らないように
巻き止める摩擦性のある弾性体（シリコンゴム等）で構成される巻止部１６ｄ、メインラインを係止するためのＯリング１６ｂ
と１６ｃ、そしてこれら（１６ｂ、１６ｃ、１６ｄ、１６ｅ）をアーム先端部に固定するための１６ａ、１６ｆで構成される。
この際、１６ｂと１６ｃを使用せずにメインラインを１６ｄに数回巻き付けてからメインライン係止部１５側の巻止部１５ｄ
へ巻き止めて張架しても構わない。
１６ｂと１６ｃは利き手が異なる場合にメインラインの本線側を係止する際に使用される。
【００３２】
メインライン係止部１５は、最初にメインライン係止部１６側から引き込まれたメインラインを滑らないように巻き止める
摩擦性のある弾性体（シリコンゴム等）で構成される巻止部１５ｄ、メインラインの本線側を係止するための
Ｏリング１５ｂと１５ｃ、そして利き手が異なる場合に最初にメインラインを仮止めするＯリング１５ｅ、
そしてこれら（１５ｂ、１５ｃ、１５ｄ、１５ｅ）をアーム先端部に固定するための１５ａ、１５ｆで構成される。
図２の例では、利き手が異なる場合にも対応できるように部材を配されている。
【００３３】
次にこの結線補助具によりＦＧノットを編み付ける手順を説明する。
図５、図６、図７、図８は、ＦＧノットを編み付ける手順を説明する図である。
先ず、補助具１のメインライン係止部１６にメインライン支線側Ｍｂを係止し、メインライン係止部１５に
メインライン本線側Ｍａを係止し、リーダーをリーダー係止部１３に係止する。
この段階で、メインラインとリーダーが交差する位置（交差位置）Ｘａから一例として２０ｃｍ程度の余裕を持たせて
リーダーを係止する。
その編み付けの準備ができた状態を表した図が図５（Ａ）に示す通りとなる。
図５（Ｂ）は編み付けが進んだ段階のアームと交差位置Ｘａの動きを表した状態を示す。
【００３４】
図６にＦＧノットの編み付け手順を示す。
先ず、メインラインの上にリーダーが交差した状態から、リーダー支線側Ｌｂをメインライン支線側Ｍｂの下側を通して
リーダー係止部１３側で∪ターンさせ、Ｍｂの上側を通してＬｂを強く引く、この結果が図６（Ｂ）に示す通りになる。
次に、Ｌｂをメインライン本線側Ｍａの下側を通してリーダー係止部１３側でＵターンさせ、Ｍａの上側を通してＬｂを
強く引く、この結果が図６（Ｄ）に示す通りになる。
【００３５】
更に図６（Ａ）から図６（Ｄ）までの手順を５回繰り返した結果が図７（Ａ）に示す通りになる。
この段階で編み付けを結束させるためのハーフヒッチを施す。ハーフヒッチの手順を図７（Ｂ）に示す。
手順としてはリーダー支線側ＬｂをＭｂの下側に通し∪ターンさせてＭｂの上側を通す。そしてＬｂの下側を通して
Ｌｂを強く引く、その結果が図７（Ｃ）の示す通りとなり、編み付けの難しいＦＧノットの初期段階が完成する。
【００３６】
次の手順として仕上げ作業となるハーフヒッチ、エンドノットと呼ばれる工程を行う必要がある。
手順としては、先ずメインライン支線側Ｍｂをメインライン係止部１６から取り外し、次にリーダー本線側Ｌａを
リーダー係止部１３より取り外す。メインライン本線側Ｍａについてはそのまま係止した状態とする。
次にリーダー本線側Ｌａをメインライン係止部１６に巻き止め係止し張架する。
上記手順によってハーフヒッチの編み付が準備できた状態を図８（Ｂ）に示す。
この際、リーダー支線側Ｌｂがハーフヒッチの編み付け作業を阻害する場合があるため、メインライン係止部１５を
利用して係止すると編み付け作業がやり易くなる。
また、ハーフヒッチを行うにあたって、編み付ける部分は緊張状態にあった方が作業がし易いため、アームの突起部
（１１ｃ、１１ｄ、１２ｃ、１２ｄ）を指や掌で押さえたりアームと補助具本体をしっかり握る事でアームを固定させる
ことができ、以降のハーフヒッチの作業もやり易くなる。
【００３７】
次に本発明の請求項３の効果に関する編みコブの位置の修正手順を説明する。
図９は、編みコブの位置の修正手順を説明する図である。
編み付けの作業ではリーダーの支線側Ｌｂを強く引いて行う関係から、どうしても編みコブがＬｂ側に追随する形で
作られ、不適切な位置に編みコブＸｂができてしまう場合がある。その状態を図９（Ａ）に示す。
【００３８】
このような状況を解決する手順を図９（Ｂ）と図９（Ｃ）に示す。
不適切な図９（Ａ）の状態から、アーム１１と１２をしっかり固定させてＬｂをメインライン係止部１６側に強く引く、
この際にメインラインはリーダーの外周の表面を回転するように滑らせながら徐々に編みコブの位置をメインライン係止部１６
の側に移動させてＭａ側の長さを長くする動作をするが、メインラインとリーダーの交差する角度が変化し、
ＭａとＬａの間の角度が鋭角になるにつれ編みコブの位置は交差位置Ｘａに引かれるようにリーダー係止部１３の側に
移動する。結果的にＬｂを引く手の力の作用に対する反作用が働き、図９（Ｂ）の状態になる。
【００３９】
次にＬｂを元の位置に戻す事によって、図９（Ｂ）で発生した逆の応力が発生し、ＸａがＬｂ側に移動し追随する形で
編みコブＸｂが移動する。その結果、編みコブの状態は図９（Ｃ）に示す拡大図の通りとなり、適正な位置に置かれる。
結果的に、編みコブの位置の修正はリーダー支線側Ｌｂをメインライン係止部１６側に引いて戻すだけの簡単な作業で
解決できるため、ＦＧノットの編みコブの修正が簡単にでき、多くの時間を必要としない。
また、リーダー係止部を編み付け位置に近接させた事により、少しの動作で大きな角度の変化を生み出せるため、
メインラインとリーダー外周表面の摩擦する範囲が小さくなり、結果的にラインの傷みを最小限に抑えられる。
【実施例２】
【００４０】
次に本発明の請求項４に関する実施の形態について図面を参照して詳細に説明する。
図１０は、本発明の請求項４の実施の形態に係る釣り糸の結線補助具を示す図である。
図１１は、図１０の結線補助具の主要な構造部分を示す図であり、図１１（Ａ）は平面図、図１１（Ｂ）は断面図である。
図１２は、図１０の結線補助具を用いてリーダースプールを装着した場合の説明図である。
【００４１】
この結線補助具２は基本的な構成は図１同様であるが、本発明の請求項４にも記載する通り、アーム２１の
アーム支持部２８とアーム２２のアーム支持部２７をそれぞれ補助具本体２０の中心を超えて
設置される形をとることにより、例えば、２８からメインライン係止部２５までの距離が、
図１のリーダー係止部と同じ位置とした場合よりもアームの回転弧の半径を大きくする事ができる。
また、それぞれのアームの支持部２７と２８をリーダー係止部と別の位置とした事により、アームが回転した際に
リーダー係止部２３からそれぞれのメインライン係止部（２５と２６）までの距離を変化させる事がことが可能になる。
【００４２】
また、図１と異なる構造部分として、メインラインを張架させるためのバネとして、ねじりコイルバネ２７ｅと２８ｅを
アーム支持部に設けている。張架させる方式としては、ねじりコイルバネのバネ中心部の中空部分にそれぞれのアーム支持部の
アーム支持ネジ上部２７ａと２８ａを通し、ねじりコイルバネの先端をアームに固定し反対側のねじりコイルバネの先端は
補助具本体２０の本体スペーサー１の２０ｃの外周表面に接して設ける事で実現している。
例えば、アーム２１が時計回りに回転すれば、対応するねじりコイルバネ２８ｅの支持部も時計回りに同じ角度だけ回転し、
２８ｅの２０ｃに接した部分は固定されてそれ以上回転しないため、ねじりコイルバネ２８ｅはねじれに反発する力で張架
する力を発生する仕組みになっている。
【００４３】
また、図１の場合はアーム１１の１１ｊと１１ｉ、アーム１２の１２ｊと１２ｉ、これらの側面が接する事で引張コイルバネ
によるアームの開放を防止、アームを静止させる仕組みであるが、補助具２ではアーム開放防止ネジ２１ｄと２２ｄを設けて
対応している。
【００４４】
次に図１１の断面図を用いて主要な構造について説明する。
アーム２２は平面視でアーム２１の上側に設けられ、その支持部２７は２２のメインライン係止部２６から見て補助具本体２０
の中心に位置するリーダー係止部２３の位置を超えて設けられている。
同様にアーム２１の支持部２８についてもリーダー係止部２３の位置を超えて設けられている。
例えばアーム２２の支持部２７については、補助具の本体上面板２０ａと本体底面板２０ｂに開けられたアーム支持孔に
アーム支持ネジ上部２７ａを通す。補助具本体内では、ワッシャー１の２７ｂ、アーム２２の支持孔、ねじりコイルバネ２７ｅ、
ワッシャー２の２７ｃを通し、最後に補助具本体の２０ａと２０ｂを挟む形で２７ａとアーム支持ネジ下部の２７ｄで固定
している。
【００４５】
リーダー係止部２３については、リーダーを巻き止める巻止部２３ｄとリーダーを係止するＯリング２３ｂと２３ｃを有し、
それら（２３ｂ、２３ｃ、２３ｄ）と同時に補助具本体を固定する組みネジ上部２３ａと組みネジ下部２３ｅで構成される。
補助具を固定する際、補助具の本体上面板２０ａと本体底面板２０ｂの間には、補助具内部でのアームの可動空間を確保する
ための本体スペーサー１の２０ｃを設けてその２０ｃの中を通して固定する。
これらの構造を用いる事によって、図１と同様にメインラインを張架する仕組みを成立させている。
【００４６】
次に請求項４によって得られる効果に関する大きさの異なるリーダースプールを固定する方法について説明する。
図１０（Ｂ）において想像線で示したメインライン係止部２５と２６の位置は、リーダー係止部２３からの距離が最大となる。
この状態でリーダースプール中穴Ｓｂ（またはＴｂ）に２３を通し、次にアームを静止状態側に戻す。つまりねじりコイルバネ
の復元力を用いて戻すと、リーダー係止部２３とメインライン係止部２５と２６との間の距離が縮小していく、この縮小過程で
リーダースプール外周Ｓａ（またはＴａ）に上下のメインライン係止部の巻止部表面が接触し同時にリーダースプール中心の
中穴Ｓｂ（またはＴｂ）の内周側にリーダー係止部の巻止部表面２３ｄが接触し３点の接触面の摩擦状態が成立する。
結果として、それらの摩擦状態によって大きさの異なるリーダースプールを補助具に固定することができるようになっている。
図１２（Ａ）は非特許文献３のリーダースプールを装着、固定した場合の説明図であり、
図１２（Ｂ）は非特許文献４のリーダースプールを装着、固定した場合の説明図である。
【産業上の利用可能性】
【００４７】
本発明の釣り糸の結線補助具は、ＦＧノット、ＳＦノット等の手法によるメインラインとリーダーの結線作業に用いられる。
【符号の説明】
【００４８】
１    釣り糸の結線補助具
２    大きさの異なるリーダースプールを固定できる釣り糸の結線補助具
１０    補助具本体
１０ａ    本体上面板
１０ｂ    本体底面板
１０ｃ    本体ワッシャー１
１０ｄ    本体ワッシャー２
１０ｅ    本体ワッシャー３
１０ｆ    本体スペーサー１
１１    アーム
１１ａ    アーム主板
１１ｂ    アーム補強板
１１ｃ    突起部
１１ｄ    突起部
１１ｅ    引張コイルバネ固定ネジ
１１ｆ    スポット溶接ポイント
１１ｇ    アーム支持孔
１１ｈ    メインライン係止部孔
１１ｉ    アーム静止部
１１ｊ    アーム静止部
１２    アーム
１２ａ    アーム主板
１２ｂ    アーム補強板
１２ｃ    突起部
１２ｄ    突起部
１２ｅ    引張コイルバネ固定ネジ
１２ｆ    スポット溶接ポイント
１２ｇ    アーム支持孔
１２ｈ    メインライン係止部孔
１２ｉ    アーム静止部
１２ｊ    アーム静止部
１３    リーダー係止部
１３ａ    組みネジ上部
１３ｂ    Ｏリング
１３ｃ    Ｏリング
１３ｄ    巻止部
１３ｅ    Ｏリング
１３ｆ    組みネジ下部
１４    本体背面側組みネジ
１４ａ    組みネジ上部
１４ｂ    本体スペーサー２
１４ｃ    組みネジ下部
１５    メインライン係止部
１５ａ    組みネジ上部
１５ｂ    Ｏリング
１５ｃ    Ｏリング
１５ｄ    巻止部
１５ｅ    Ｏリング
１５ｆ    組みネジ下部
１６    メインライン係止部
１６ａ    組みネジ上部
１６ｂ    Ｏリング
１６ｃ    Ｏリング
１６ｄ    巻止部
１６ｅ    Ｏリング
１６ｆ    組みネジ下部
１７    引張コイルバネ
１８    上下のメインライン係止部を結ぶ線
１９    引張ゴム
２０    補助具本体
２０ａ    本体上面板
２０ｂ    本体底面板
２０ｃ    本体スペーサー１
２１    アーム
２１ａ    アーム主板
２１ｂ    アーム突起部１
２１ｃ    アーム突起部２
２１ｄ    アーム開放防止ネジ
２２    アーム
２２ａ    アーム主板
２２ｂ    アーム突起部１
２２ｃ    アーム突起部２
２２ｄ    アーム開放防止ネジ
２３    リーダー係止部
２３ａ    組みネジ上部
２３ｂ    Ｏリング
２３ｃ    Ｏリング
２３ｄ    巻止部
２３ｅ    組みネジ下部
２４    本体背面側組みネジ
２５    メインライン係止部
２６    メインライン係止部
２７    アーム支持部
２７ａ    アーム支持ネジ上部
２７ｂ    ワッシャー１
２７ｃ    ワッシャー２
２７ｄ    アーム支持ネジ下部
２７ｅ    ねじりコイルバネ
２８    アーム支持部
２８ａ    アーム支持ネジ上部
２８ｂ    ワッシャー３
２８ｃ    ワッシャー４
２８ｄ    アーム支持ネジ下部
２８ｅ    ねじりコイルバネ
Ｘａ    メインラインとリーダーの交差する位置（交差位置）
Ｘｂ    編みコブ
Ｘｃ    編み付け部分
Ｘｈ    ハーフヒッチ
Ｍａ    メインライン本線側
Ｍｂ    メインライン支線側
Ｌａ    リーダー本線側
Ｌｂ    リーダー支線側
Ｓ    参考文献３リーダースプール
Ｓａ    リーダースプール外周
Ｓｂ    リーダースプール中穴
Ｔ    参考文献４リーダースプール
Ｔａ    リーダースプール外周
Ｔｂ    リーダースプール中穴
【図１】
2011078406.tif 000003
【図２】
2011078406.tif 000004
【図３】
2011078406.tif 000005
【図４】
2011078406.tif 000006
【図５】
2011078406.tif 000007
【図６】
2011078406.tif 000008
【図７】
2011078406.tif 000009
【図８】
2011078406.tif 000010
【図９】
2011078406.tif 000011
【図１０】
2011078406.tif 000012
【図１１】
2011078406.tif 000013
【図１２】
2011078406.tif 000014